(57)【特許請求の範囲】
【請求項１】
沸騰水型原子炉（ＢＷＲ）ジェットポンプインレットミキサのコンプライアントストッパ（２０）であって、
前面および後面を有する本体（２２）と、
前記本体の前記後面の長手方向に沿って延び、拘束具ブラケット（１０）と接する脚部（２４）と、
前記本体の上面に取り付けられて前記本体の前記前面を越えて突出し、インレットミキサを押圧するアーチ形のスプリング（２２ａ）と、
前記本体を前記脚部に連結する、回転防止構造を有する少なくとも１つのジャッキングボルト（３０）と、
を含む、コンプライアントストッパ。
【請求項２】
前記スプリングが前記本体の中間部付近にあり、
前記少なくとも１つのジャッキングボルトが第１のジャッキングボルトおよび第２のジャッキングボルトを含み、
前記第１および第２のジャッキングボルトが前記スプリングのいずれの側にもある、
請求項１に記載のコンプライアントストッパ。
【請求項３】
第１および第２のジャッキングボルト保持穴（２４ｇ）であって、各ジャッキングボルト保持穴が前記脚部の拘束具ブラケット（１０）と接する面にあり、ジャッキングボルトの遠位端（３０ｃ）を維持するように構成されている、第１および第２のジャッキングボルト保持穴（２４ｇ）と、
前記本体にある第１および第２のねじ穴（２２ｅ）であって、前記ジャッキングボルトが締結されるとき、前記本体が前記脚部から離れるように、各ねじ穴が各ジャッキングボルトのねじ山に係合するように構成されている、第１および第２のねじ穴（２２ｅ）と、
をさらに含む、請求項２に記載のコンプライアントストッパ。
【請求項４】
前記本体の前記前面の第１にある突起ボス（２２ｆ）と、
前記スプリングの遠位端の内面にある第２の突起ボス（２２ａ１）と、
をさらに含み、
前記第１および第２の突起ボスが、前記ボス間に隙間（Ｔ）を画成するように互いに直接対向している、
請求項３に記載のコンプライアントストッパ。
【請求項５】
前記スプリングの遠位端の外面にある凹球面座（２２ｃ）と、
凹円筒外面（３２ｄ）を有するスイベル接触パッド（３２）であって、前記凹球面座と嵌まり合うように構成された凸球面（３２ａ）を有するスイベル接触パッド（３２）と、
前記スイベル接触パッドの前記凸球面から延びる自己整合リブ（３２ｂ）であって、前記スプリングの前記遠位端の前記外面の整合溝（２２ｄ）内に挿入可能な自己整合リブ（３２ｂ）と、
をさらに含む、請求項３または４に記載のコンプライアントストッパ。
【請求項６】
前記脚部および前記本体の長手方向端部の２つの側面のそれぞれにＣ型クランプをさらに含み、
各Ｃ型クランプが、
垂直な下向きに突出する張り出し部（２８ｃ）を有するＣ型クランプフレーム（２８）であって、前記張り出し部が前記脚部（２４ｈ）および前記本体（２２ｂ）の前記２つの側面に形成された傾斜面に嵌まり合うように構成された傾斜面（２８ａ）を有するＣ型クランプフレーム（２８）と、
垂直な上向きに突出する上向き部分（３４ｃ）を有するＣ型クランプ本体（３４）であって、前記Ｃ型クランプフレームの内外に摺動するように構成されたＣ型クランプ本体（３４）と、
前記Ｃ型クランプ本体を前記Ｃ型クランプフレーム内の所望の位置へと固定するように構成されたキャップねじ（３６）と、
を含む、
請求項３から５のいずれかに記載のコンプライアントストッパ。
【請求項７】
沸騰水型原子炉（ＢＷＲ）ジェットポンプインレットミキサのコンプライアントストッパ（２０）をＢＷＲジェットポンプアセンブリ（６）に設置する方法であって、
前記インレットミキサのコンプライアントストッパを、ＢＷＲジェットポンプアセンブリの拘束具ブラケット（１０）、インレットミキサ（２）およびライザー管（１）によって画成されるポケット（１６）内に設けるステップであって、前記インレットミキサのコンプライアントストッパが、
前面および後面を有する本体（２２）と、
前記本体の前記後面の長手方向に沿って延びる、拘束具ブラケット（１０）と接する脚部（２４）と、
前記本体の上面に取り付けられ、前記本体の前記前面を越えて突出し、インレットミキサを押圧するアーチ形のスプリング（２２ａ）と、
前記本体を前記脚部に連結する、回転防止構造を有する少なくとも１つのジャッキングボルト（３０）と、  を含むステップと、
２つの硬性のストッパ（３８）を前記拘束具ブラケットに取り付けるステップであって、前記硬性のストッパ（３８）が、前記拘束具ブラケットを前記インレットミキサから離れるように押圧するように構成されたステップと、
を含む方法。
【請求項８】
各ジャッキングボルトの脚部の前面にジャッキングボルト保持穴（２４ｇ）を穿設するステップと、
各ジャッキングボルトの遠位端（３０ｃ）をそれぞれの保持穴に維持するステップであって、前記ジャッキングボルトが前記保持穴で自由に回転することができるようにするステップと、
各ジャッキングボルトの前記本体にねじ穴（２２ｅ）を設けるステップであって、前記ねじ連結部がそれぞれのジャッキングボルトのねじ山と噛み合うように構成されたステップと、
前記少なくとも１つのジャッキングボルトを締結することによって、前記本体が前記脚部から離れるように、前記インレットミキサに横力を加えるステップ、および前記インレットミキサに前記横力を加える前記スプリングに張力を加えるステップと、
をさらに含む、請求項７に記載の方法。
【請求項９】
前記本体の前面に第１の突起ボス（２２ｆ）を形成するステップと、
前記スプリングの遠位端の内面に第２の突起ボス（２２ａ１）を形成するステップであって、前記第１および第２の突起ボスが、前記ボス間に隙間（Ｔ）を画成するように互いに直接対向しているステップと、
をさらに含み、
前記インレットミキサに横力を加えるステップが、前記隙間の幅がごくわずかになるまで前記少なくとも１つのジャッキングボルトを締結するステップをさらに含む、
請求項８に記載の方法。
【発明の詳細な説明】
【技術分野】
【０００１】
例示的な実施形態は一般に原子炉に関し、より詳細には、インレットミキサに制御された横力を加える、沸騰水型原子炉（ＢＷＲ）ジェットポンプインレットミキサのコンプライアントストッパクランプアセンブリのための方法および装置に関する。
【背景技術】
【０００２】
沸騰水型原子炉（ＢＷＲ）の原子炉圧力容器（ＲＰＶ）は通常は全体的に円筒形であり、（例えば、底部ヘッドおよび脱着可能な上部ヘッドによって）両端が閉じられている。上部ガイドは通常はＲＰＶ内のコアプレートの上方に離れて置かれている。コアシュラウドまたはシュラウドが、通常はコアを包囲し、シュラウド支持構造によって支持される。特に、シュラウドは全体的に円筒形であり、コアプレートおよび上部ガイドを包囲している。円筒状の原子炉圧力容器と円筒形のシュラウドとの間には、空間または環状部がある。
【０００３】
ＢＷＲでは、シュラウド環状部内に配置された中空管状のジェットポンプが、必要な原子炉炉心水流を提供する。インレットミキサとして知られているジェットポンプの上側部分は、横方向に配置され、ジェットポンプ拘束具ブラケット内の２つの対向する剛性の接点に対して、重力式ウェッジによって支持される。
【先行技術文献】
【特許文献】
【０００４】
【特許文献１】米国特許第６，４６３，１１４号明細書
【発明の概要】
【０００５】
従来、主ウェッジまたはインレットミキサの動きによって止めねじの隙間が形成されることがある。さらに、振動が主ウェッジおよび／または止めねじを摩耗させることもある。止めねじの隙間によって、インレットミキサに流体励起振動（ＦＩＶ）が生じ、ジェットポンプ構成部品を過剰に摩耗させる。さらに、従来のジェットポンプアセンブリはまた、スリップジョイントの漏洩（すなわち、インレットミキサとディフューザとの間の機械的連結の漏洩）を起こすこともある。
【０００６】
例示的な実施形態は、インレットミキサを安定させるために、インレットミキサの側面に、制御され減少した水平力を加えることができる、ＢＷＲジェットポンプインレットミキサのコンプライアントストッパのための方法および装置を提供する。インレットミキサのコンプライアントストッパは、２つの他のノンコンプライアントストッパとともに、インレットミキサの流体励起振動（ＦＩＶ）およびスリップジョイントの漏洩を軽減する３点接触を提供することができる。３点接触は、既存の（すなわち、従来の）主ウェッジおよび止めねじとともに使用することができ、あるいは既存の主ウェッジおよび止めねじの代わりに使用することができる（すなわち、既存の主ウェッジおよび／または既存の止めねじを排除することができる）。
【図面の簡単な説明】
【０００７】
例示的な実施形態の上記および他の特徴および利点は、例示的な実施形態を添付の図面を参照しながら詳細に説明することによって、より明らかになるであろう。添付の図面は、例示的な実施形態を示すものであり、特許請求の範囲を制限すると解釈されるべきではない。添付の図面は、明確な記載がない限り、等縮尺で描かれているとはみなされない。
【図１】従来の沸騰水型原子炉（ＢＷＲ）ジェットポンプアセンブリの斜視図である。
【図２】従来のＢＷＲジェットポンプ拘束具ブラケットアセンブリの拡大図である。
【図３】従来のＢＷＲジェットポンプアセンブリ拘束具ブラケットアセンブリの拡大側面図である。
【図４】本発明の例示的な実施形態による、ジェットポンプインレットミキサのコンプライアントストッパの詳細な図である。
【図４Ａ】本発明の例示的な実施形態による、図４のジェットポンプインレットミキサのコンプライアントストッパの後面図である。
【図５】本発明の例示的な実施形態による、ＢＷＲ拘束具ブラケットアセンブリに設置されたインレットミキサのコンプライアントストッパの詳細な図である。
【図５Ａ】本発明の例示的な実施形態による、（図５に示す）ＢＷＲ拘束具ブラケットアセンブリに設置されたジェットポンプインレットミキサのコンプライアントストッパの上面図である。
【図６】本発明の例示的な実施形態による、ジェットポンプインレットミキサのコンプライアントストッパをＣ型クランプなしで示す、詳細な図である。
【図６Ａ】本発明の例示的な実施形態による、図６のジェットポンプインレットミキサのコンプライアントストッパの分解図である。
【図７】本発明の例示的な実施形態による、ジェットポンプインレットミキサのコンプライアントストッパのラチェット保持器の詳細な図である。
【図８】本発明の例示的な実施形態による、ジェットポンプインレットミキサのコンプライアントストッパの本体の詳細な図である。
【図９】本発明の例示的な実施形態による、ジェットポンプインレットミキサのコンプライアントストッパのスイベル接触パッドの後面図である。
【図１０】本発明の例示的な実施形態による、ジェットポンプインレットミキサのコンプライアントストッパの（図９に示す）スイベル接触パッドの詳細な図である。
【図１１】本発明の例示的な実施形態による、ジェットポンプインレットミキサのコンプライアントストッパの脚部の後面図である。
【図１１Ａ】本発明の例示的な実施形態による、ジェットポンプインレットミキサのコンプライアントストッパの（図１１に示す）脚部の詳細な図である。
【図１２】本発明の例示的な実施形態による、ジェットポンプインレットミキサのコンプライアントストッパのボルト保持器の詳細な図である。
【図１３】本発明の例示的な実施形態による、ジェットポンプインレットミキサのコンプライアントストッパのジャッキングボルトの詳細な図である。
【図１４】本発明の例示的な実施形態による、ジェットポンプインレットミキサのコンプライアントストッパのＣ型クランプの詳細な図である。
【図１４Ａ】本発明の例示的な実施形態による、ジェットポンプインレットミキサのコンプライアントストッパの（図１４に示す）Ｃ型クランプフレームの詳細な図である。
【図１４Ｂ】本発明の例示的な実施形態による、ジェットポンプインレットミキサのコンプライアントストッパの（図１４に示す）Ｃ型クランプ本体の詳細な図である。
【図１５】本発明の例示的な実施形態による、ジェットポンプインレットミキサのコンプライアントストッパの断面図である。
【発明を実施するための形態】
【０００８】
本明細書では、詳細な例示的な実施形態が開示されている。しかし、本明細書で開示される特定の構造および機能の詳細は、例示的な実施形態を説明するためのものに過ぎない。しかし、例示的な実施形態は、多くの変形形態で実施することができ、本明細書で説明される実施形態だけに制限されると解釈されるべきではない。
【０００９】
したがって、例示的な実施形態には様々な修正および代替形態が可能であるが、その実施形態は図面では例を使用して示し、本明細書で詳細に説明する。しかし、例示的な実施形態は開示された特定の形態に制限されるものではなく、それどころか、例示的な実施形態は、例示的な実施形態の範囲に含まれるすべての修正、均等物、および代替を対象とするものであることが理解されよう。図の説明を通して、同様の番号は同様の要素を示す。
【００１０】
様々な要素を説明するために、本明細書では第１、第２等の用語が使用されているが、これらの要素はこれらの用語によって制限されるべきではないことが理解されよう。これらの用語は、要素を互いに区別するために使用されるに過ぎない。例えば、例示的な実施形態の範囲から逸脱することなく、第１の要素を第２の要素と呼ぶこともでき、同様に、第２の要素を第１の要素と呼ぶこともできる。本明細書で使用される「および／または」という用語は、関連するリスト項目の１つまたは複数のいずれか、およびすべての組み合わせを含む。
【００１１】
ある要素が別の要素と「連結されている」または「結合されている」というとき、他の要素と直接連結または接続されている、あるいは介在する要素が存在することもできることが理解されよう。対照的に、ある要素が別の要素と「直接連結されている」または「直接結合されている」というとき、介在する要素は存在しない。要素間の関係を説明するために使用される他の用語も、同様に解釈されるべきである（例えば、「の間に」と「の間に直接」、「隣接する」と「直接隣接する」等）。
【００１２】
本明細書で使用される用語は、特定の実施形態を説明するためのものに過ぎず、例示的な実施形態を制限するものではない。本明細書で使用される単数形は、別段の記載がない限り、複数形も含む。さらに、「を含む」、「を含み」、「を有する」および／または「を有し」という用語は、本明細書で使用されるとき、記載された特徴、整数、ステップ、動作、要素、および／または構成部品の存在を示すが、１つまたは複数の他の特徴、整数、ステップ、動作、要素、構成部品、および／またはそれらの群の存在または追加を除外しないことが理解されよう。
【００１３】
いくつかの代替実装形態では、記載された機能／作用は、図に記載された以外の順序で起き得ることも理解されよう。例えば、連続して示される２つの図は、使用される機能／作用によって、実際は実質的に同時に実行することができ、または場合によっては、逆の順序で実行することができる。
【００１４】
図１は従来の沸騰水型原子炉（ＢＷＲ）ジェットポンプアセンブリの斜視図である。ジェットポンプアセンブリは、２つのインレットミキサ２の間に大型のライザー管１を含む。インレットミキサ２は、ディフューザ４内へと水を噴射する。従来、インレットミキサ２の動きおよび振動を抑制するために拘束具ブラケットアセンブリ６を使用することができる。拘束具ブラケットアセンブリ６はまた、従来、インレットミキサ２とディフューザ４との間の境界に起きるスリップジョイントの漏洩を軽減するために使用することもできる。
【００１５】
図２は、従来のＢＷＲジェットポンプ拘束具ブラケットアセンブリ６の拡大図である。従来の拘束具ブラケットアセンブリ６は一般に、インレットミキサを取り囲み、ライザー管１の側壁を押圧する拘束具ブラケットを含む。拘束具ブラケットは、主ウェッジ８および２つの止めねじ１４を介して各インレットミキサ２に３つの接点を提供する（各インレットミキサ２の２つの止めねじ１４の位置を示す、図５Ａを参照）。ガイド耳部１２は、各止めねじ１４の位置で拘束具ブラケット１０から垂直に突出する。
【００１６】
図３は、従来のＢＷＲジェットポンプアセンブリ拘束具ブラケットアセンブリ６の拡大側面図である。止めねじ１４がインレットミキサ２を取り囲むベリーバンド１８に接触することに留意されたい（図５Ａにも示す）。拘束具ブラケット輪郭壁１０ａが、ライザー管１の側壁に沿っている。従来、ポケット１６は、ライザー管１とインレットミキサ２との間に存在する（より詳細には、ポケット１６は、拘束具ブラケット１０の輪郭壁１０ａとベリーバンド１８との間に存在する）。
【００１７】
図４は、本発明の例示的な実施形態による、ジェットポンプインレットミキサのコンプライアントストッパ２０の詳細な図である。コンプライアントストッパ２０は、２つのＣ型クランプフレーム２８によって囲まれた本体２２を含むことができる。本体２２の後面を長手方向に延びる脚部２４を設けることができる（図４Ａにより詳細に示す）。本体２２は、本体２２に取り付けられたアーチ形のコールドスプリング２２ａ構造を含むことができる。コールドスプリング２２ａは、本体２２の中間部に向けて配置することができ、本体２２の前面を越えて突出することができる。コールドスプリング２２ａは、コールドスプリング２２ａの遠位端に取り付けられたスイベル接触パッド３２を含むことができる。スイベル接触パッド３２は、肩つきねじ５０によってコールドスプリング２２ａの遠位端に保持することができる。少なくとも１つのジャッキングボルト３０が、本体２２および脚部２４を通って延びることができる（図６および１５により詳細に示す）。好ましくは、コールドスプリング２２ａのいずれの側にも１つのジャッキングボルト３０を配置することができる。ジャッキングボルト３０のねじ山は、本体のねじ連結部と噛み合うことができ、ジャッキングボルト３０の締結によって脚部２４を本体２２から離れるようにすることができる（本明細書でより詳細に説明する）。脚部２４の上面に、ラチェット保持器２６を設けることができる（図６Ａにより詳細に示す）。
【００１８】
本体２２の一方の端部のＣ型クランプは、外側Ｃ型クランプフレーム２８および内側Ｃ型クランプ本体３４を含むことができる。Ｃ型クランプ本体３４は、ソケットヘッドキャップねじ３６を介して、Ｃ型クランプフレーム２８内の定位置に保持することができる（本明細書でより詳細に説明する）。Ｃ型クランプフレーム２８の傾斜面２８ａは、本体２２の傾斜面２２ｂに接触し、２つのＣ型クランプの間で本体２２を垂直および水平に安定させることに留意されたい（本明細書でより詳細に説明する）。傾斜角度は、例えば１７度の傾斜など、水平面から緩やかな角度とすることができる（水平面は本体２２または脚部２４の平坦な上面とすることができる）。
【００１９】
図４Ａは、本発明の例示的な実施形態による、図４のジェットポンプインレットミキサのコンプライアントストッパ２０の後面図である。図４Ａは、脚部２４の上面に沿って延びるラチェット保持器２６を示す（ラチェット保持器２６の目的は本明細書で説明する）。図４Ａはまた、図５に示すように、脚部２４が拘束具ブラケット１０の輪郭壁１０ａの形状にいくらか従うことができるようにする、脚部２４の内面２４ａの形状も示す。脚部２４には傾斜面２４ｈも設けることができ、Ｃ型クランプフレーム２８の傾斜面２８ａが脚部２４を垂直および水平に安定させることができるようにする（図４に示す、Ｃ型クランプフレーム２８の傾斜面２８ａが本体２２の傾斜面２２ｂに係合するのと同様の方法である）。脚部２４の傾斜面２４ｈは、（図４の説明と同様に、）例えば１７度の傾斜など、水平面から緩やかな角度とすることができる。
【００２０】
図５は、本発明の例示的な実施形態による、ＢＷＲ拘束具ブラケットアセンブリ６に設置されたインレットミキサのコンプライアントストッパ２０の詳細な図である。Ｃ型クランプフレーム２８およびＣ型クランプ本体３４を拘束具ブラケット１０に取り付け、ポケット１６内の定位置にコンプライアントストッパ２０を保持することができる（図３に示すポケット１６を参照）。ジャッキングボルト３０を使用して、コールドスプリング２２ａがインレットミキサ２のベリーバンド１８に加える力を調整することができる。ジャッキングボルト３０を締結することによってコールドスプリング２２ａの所望の力が達成されると（本明細書でより詳細に説明する；特に、図１５に関する説明を参照）、ラチェット保持器２６を介してジャッキングボルト３０を定位置に保持することができる。脚部２４の全体的な形状は、ポケット１６内に嵌合するように、拘束具ブラケット１０の輪郭壁１０ａに全体的に一致することに留意されたい。
【００２１】
ジェットポンプインレットミキサのコンプライアントストッパ２０は、ジェットポンプインレットミキサのコンプライアントストッパ２０構造に３つの接点を提供するように、２つのノンコンプライアントストッパ３８とともに設置することができる（追加のノンコンプライアントストッパ３８の位置は、図５Ａに最も良く示されている）。ジェットポンプインレットミキサのコンプライアントストッパ２０は、インレットミキサ２をライザー管１から離間させる反力（すなわち、コンプライアントストッパ２０がライザー管２に横力を加えるとき、ライザー管２に押し付けられる堅固な接点）を提供することができ、それにより、ガタつきおよび損傷を起こすことがある止めねじの隙間（ベリーバンド１８と止めねじ１４との間の隙間）の有害な衝撃を低減する。コンプライアントストッパ２０がライザー管２に加える横力は、既存のウェッジ８によって提供することができる力とは反対方向とすることができる。言い換えると、従来の拘束具ブラケットアセンブリ６によってインレットミキサに既にかかっているインレットミキサ２の流体荷重に、コンプライアントストッパ２０によって提供される横力を追加することができる。しかし、コンプライアントストッパ２０によって加えられる横力は、ウェッジ８によって生成される力の反対方向とすることができるため、インレットミキサ２（インレットミキサ２の流体励起振動など）および拘束具ブラケットアセンブリ６の構成部品（重力ウェッジ８および／または止めねじ１４のガタつきなど）の望ましくない動きを排除することができ、それにより、構成部品の損傷の可能性が低減される。コンプライアントストッパ２０の横力と組み合わされた硬性のストッパ３８の調節可能な特徴によって、スリップジョイント流体励起振動（ＳＪＦＩＶ）を防ぐことが可能な、正確に制御された予荷重を提供することができ、スリップジョイントクランプまたは望ましくない構成部品の振動を軽減するために使用される他の従来の構造の必要性を排除することができる。
【００２２】
ノンコンプライアントストッパ３８を使用する場合、適宜、ウェッジ８および／または止めねじ１４を除去することができる。また、２つのノンコンプライアントストッパ３８を使用する代わりに、ジェットポンプインレットミキサのコンプライアントストッパ２０を既存のウェッジ８および止めねじ１４とともに使用することもできる。２つのノンコンプライアントストッパ３８は調節可能な硬性のストッパとすることができ（米国出願第１２／９８０，０１０号で開示されているＡＤＪＵＳＴＡＢＬＥ  ＨＡＲＤ  ＳＴＯＰＳ  ＦＯＲ  ＮＵＣＬＥＡＲ  ＲＥＡＣＴＯＲ  ＲＥＳＴＲＡＩＮＥＲ  ＢＲＡＣＫＥＴＳ  ＡＮＤ  ＭＥＴＨＯＤＳ  ＯＦ  ＵＳＩＮＧ  ＴＨＥ  ＳＡＭＥなど）、参照によってその全体を援用する。ノンコンプライアントストッパ３８はウェッジ８の位置のいずれの側にも反力を提供することができる。２つのノンコンプライアントストッパ３８は拘束具ブラケット１０とインレットミキサ２との間に水平拘束を提供することができ、それにより、ジェットポンプインレットミキサのコンプライアントストッパ２０および２つのノンコンプライアントストッパ３８が３つの接点を提供し、基本的に、従来はウェッジ８および止めねじ１４によって提供することができる３つの接点の位置とすることができる。２つのノンコンプライアントストッパ３８はまた、止めねじ、または拘束具ブラケット１０をインレットミキサ２から離れるように押圧する（または、水平に拘束する）ことができる他の構造とすることもでき、ジェットポンプインレットミキサのコンプライアントストッパ２０を接点の１つとして含む、３つの接点を可能にする。
【００２３】
図５Ａは、本発明の例示的な実施形態による、（図５に示す）ＢＷＲ拘束具ブラケットアセンブリ６に設置されたジェットポンプインレットミキサのコンプライアントストッパ２０の上面図である。図５Ａは、インレットミキサ２に制御された横力を加えるように（すなわち、コールドスプリング２２ａが、インレットミキサ２の中心線に向かって、かつライザー管１の中心線から離れるように横力を加えることができる）、ベリーバンド１８に接触するコールドスプリング２２ａの遠位端のスイベル接触パッド３２を示す。図５Ａはまた、インレットミキサ２の動きを安定させるように、（ジェットポンプインレットミキサのコンプライアントストッパ２０とともに）３点接触を提供するように使用することができるノンコンプライアントストッパ３８の位置も示す。スイベル接触パッド３２がインレットミキサ２と接触する位置およびノンコンプライアントストッパ３８がインレットミキサ２と接触する位置は、インレットミキサ２上で互いに約１２０度離れるように、離間することができる。
【００２４】
図６は、本発明の例示的な実施形態による、ジェットポンプインレットミキサのコンプライアントストッパ２０をＣ型クランプなしで示す、詳細な図である。隙間Ｇ（図１５にも示す）が本体２２と脚部２４との間に存在することができることに留意されたい。この隙間Ｇによって、（コールドスプリング２２ａを介して）インレットミキサ２に加えられる横力を、ジャッキングボルト３０の締結によって微細に調整することができる。具体的には、ジャッキングボルト３０が締結されるとき、隙間Ｇが広がり、本体２２が脚部２４から離れるように動き、次いで（スイベル接触パッド３２がインレットミキサ２を押圧するとき）コールドスプリング２２ａの圧縮が増加し、それにより、制御された横力がインレットミキサ２に加えられる。
【００２５】
図６Ａは、本発明の例示的な実施形態による、図６のジェットポンプインレットミキサのコンプライアントストッパ２０の分解図である。各ジャッキングボルトの遠位端をボルト保持器４２によって定位置に保持することができるため、ジャッキングボルト３０は脚部２４内で自由に回転する。ボルト保持器４２を、保持ピン４４ａを含むことができる平頭ねじを介して、脚部２４の定位置に保持することができる（保持ピン４４ａを挿入して、平頭ねじ４４の位置を所望の位置に固定することができる）。上記で説明したように、ジャッキングボルト３０を締結することによって、（本体２２のねじ連結部２２ｅの使用によって）本体が脚部２４から離れるようにすることができ、インレットミキサ２に横力を加えるコールドスプリング２２ａを最終的に圧縮させる。ジャッキングボルト３０は、ラチェット保持器２６を介して定位置に固定することができる。具体的には、（ラチェット保持器２６の各端部の）ラチェット歯４６が、ジャッキングボルト３０のラチェット歯３０ａ（図１３に示す）に係合することができ、各ジャッキングボルトを所望の位置に保持する回転防止構造を提供する。平頭ねじ４０を使用してラチェット保持器２６を脚部２４の定位置に保持することができ、ラチェット保持器２６が脚部２４の定位置に保持されるようにねじ４０が十分に締結されると、保持ピン４０ａを使用して平頭ねじ４０を定位置に固定することができる。
【００２６】
図７は、本発明の例示的な実施形態による、ジェットポンプインレットミキサのコンプライアントストッパ２０のラチェット保持器２６の詳細な図である。平頭ねじ４０がラチェット保持器２６を脚部２４の上面の定位置に保持することができるように、タップ穴４０ｂを設けることができる。ラチェット歯２６は、（ジャッキングボルト３０の所望の位置を脚部２４内に維持することができるように）回転防止のために、ラチェット保持器２６のいずれの端部に設けることもできることに留意されたい。
【００２７】
図８は、本発明の例示的な実施形態による、ジェットポンプインレットミキサのコンプライアントストッパ２０の本体２２の詳細な図である。コールドスプリング２２ａの遠位端の外面に、球面座２２ｃを設けることができる。球面座２２ｃはスイベル接触パッド３２の凸球面３２ａ（図９に示す）を、コールドスプリング２２ａの遠位端で枢動するように、受けることができる。凹球面座２２ｃは、ジャッキングボルト３０（少なくとも図６に示す）が締結され、コールドスプリング２２ａに圧縮力がかかる時点（それにより、コールドスプリング２２ａの遠位端にいくらかの移動および動きが生じ、この調整／設置期間を通してスイベル接触パッド３２の微細な位置変更が必要になることがある）を含む、ジェットポンプインレットミキサのコンプライアントストッパ２０の設置を通して、スイベル接触パッド３２の位置を再調整できるようにする。ジェットポンプインレットミキサのコンプライアントストッパ２０の遠隔設置および使用中に、スイベル接触パッド３２の実際の回転を抑えるように、スイベル接触パッド３２の自己整合リブ３２ｂ（図９に示す）を捕える整合溝２２ｄを設けることもできる。
【００２８】
図９は、本発明の例示的な実施形態による、ジェットポンプインレットミキサのコンプライアントストッパ２０のスイベル接触パッド３２の後面図である。スイベル接触パッド３２をコールドスプリング２２ａに固定するように、肩つきねじ穴３２ｃが肩つきねじ５０（少なくとも図６に示す）を受ける。図８に関連して説明したように（上記参照）、凸球面３２ａによって、スイベル接触パッド３２は図８の凹球面座２２ｃ内で枢動することができる。自己整合リブ３２ｂは（図８の）整合溝２２ｄと整合して、設置および使用中、スイベル接触パッド３２が回転に抵抗するようにする。
【００２９】
図１０は、本発明の例示的な実施形態による、ジェットポンプインレットミキサのコンプライアントストッパ２０の（図９に示す）スイベル接触パッド３２の詳細な図である。肩つきねじポケット３２ｃ１は、肩つきねじ５０の頭部（少なくとも図６に示す）を受け、維持することができる。スイベル接触パッド３２がインレットミキサ２のベリーバンド１８の外側の丸みをおびた表面に従うことができるように、凹円筒面３２ｄを設けることができる。
【００３０】
図１１は、本発明の例示的な実施形態による、ジェットポンプインレットミキサのコンプライアントストッパ２０の脚部２４の後面図である。平頭ねじ４０（図６Ａに示す）を受けるように、タップ穴２４ｂを設けることができる。ラチェット保持器２６のラチェット歯４６（同様に少なくとも図６Ａに示す）を受けるように、ラチェット歯スロット２４ｃを設けることができる。球面パッド４８（図１５に示す）がジャッキングボルト保持穴２４ｇ（図１１Ａに示す）内の定位置にあることを確認する方法として、検査ポート２４ｄを設けることができる。
【００３１】
図１１Ａは、本発明の例示的な実施形態による、ジェットポンプインレットミキサのコンプライアントストッパ２０の（図１１に示す）脚部２４の詳細な図である。ボルト保持器４２（図６Ａに示す）を受けるように、ポケット２４ｅを設けることができる。平頭ねじ４４（同様に図６Ａに示す）を受けるように、タップ穴２４ｆを設けることができる。上記のように、ジャッキングボルト３０（図６Ａに示す）が脚部２４内で自由に回転できるように、ジャッキングボルト保持穴２４ｇを脚部２４の前面（脚部の本体２２に向いている面）に設けることができる（図６Ａに示すボルト保持器４２を、各ジャッキングボルト３０の遠位端を単に維持するように設けることができる）。
【００３２】
図１２は、本発明の例示的な実施形態による、ジェットポンプインレットミキサのコンプライアントストッパ２０のボルト保持器４２の詳細な図である。ボルト保持器４２のアーチ形部分４２ｂは、ジャッキングボルト３０の側面（図６Ａに示す）に沿っており、ジャッキングボルト３０の遠位端をジャッキングボルト保持穴２４ｇ（図１１Ａに示す）内に維持することに留意されたい。穴４２ａは、図６Ａに示すように、平頭ねじ４４を受けることができる。
【００３３】
図１３は、本発明の例示的な実施形態による、ジェットポンプインレットミキサのコンプライアントストッパ２０のジャッキングボルト３０の詳細な図である。ラチェット保持器２６のラチェット歯４６（図６Ａに示す）が回転防止のために歯３０ａに係合することができるように、ジャッキングボルト３０にラチェット歯３０ａを設けることができる。ラチェット歯３０ａはジャッキングボルト３０の残りの部分の直径より大きく、それにより、ジャッキングボルト３０の遠位端３０ｃを脚部２４のジャッキングボルト保持穴２４ｇ（保持穴２４ｇは図１１Ａを参照）内に維持することができる物理的ストッパを提供していることに留意されたい。具体的には、ボルト保持器４２のアーチ形部分４２ｂ（図１２を参照）は、例えば図６Ａに示すように、ジャッキングボルト３０を脚部２４内に維持するように、ジャッキングボルト３０の拡大径（ラチェット歯３０ａを含む）に接触することができる物理的ストッパを提供する。（図６の説明に関連して上記で説明したように）コールドスプリング２２ａに圧縮力を効果的に加えるために必要なトルクをジャッキングボルト３０に加えるように、ジャッキングボルト３０に外側六角部３０ｂを設けることができる。
【００３４】
図１４は、本発明の例示的な実施形態による、ジェットポンプインレットミキサのコンプライアントストッパ２０のＣ型クランプの詳細な図である。張り出し部２８ｃが拘束具ブラケット１０の上面の上を延び、本体２２に接触することができるように、Ｃ型クランプフレーム２８に空洞部２８ｂを設けることができる。具体的には、Ｃ型クランプフレーム２８の傾斜面２８ａが、本体２２の傾斜面２２ｂに接触することができる（図４に示す）。傾斜面２８ａおよび２２ｂが傾斜しているので、（ジェットポンプインレットミキサのコンプライアントストッパ２０の両方の側の）Ｃ型クランプフレーム２８が、現場設置されるとき、本体２２をポケット１６内で垂直および水平に安定させる（図３のポケット１６を参照）。
【００３５】
Ｃ型クランプ本体３４は、Ｃ型クランプフレーム２８およびＣ型クランプ本体３４を拘束具ブラケット１０に適合させることができるように（図５の設置されたジェットポンプインレットミキサのコンプライアントストッパを参照）、（図１４Ａに示す、雌型蟻溝部分２８ｅと係合する）雄型蟻溝部分３４ａの使用を介して、Ｃ型クランプフレーム２８の内外に摺動することができる。Ｃ型クランプ本体３４が拘束具ブラケット１０の底部分を受けることができるようにＣ型クランプ本体の上向き突起部分３４ｃおよびアーチ形部分３４ｂを設けることができ、Ｃ型クランプフレーム２８およびＣ型クランプ本体３４を拘束具ブラケットに堅固に締結する。ソケットヘッドキャップねじ３６がＣ型クランプフレーム２８およびＣ型クランプ本体３４を貫通することができ、Ｃ型クランプ本体３４の位置をフレーム２８内の定位置に固定することができるようにする。Ｃ型クランプ本体３４の所望の位置が決定されると、キャップねじ３６のラチェット歯３６ｂおよびラチェット保持器３６ａを回転防止のために使用して、キャップねじ３６を定位置に固定することができる。
【００３６】
図１４Ａは、本発明の例示的な実施形態による、ジェットポンプインレットミキサのコンプライアントストッパ２０の（図１４に示す）Ｃ型クランプフレーム２８の詳細な図である。キャップねじ３６（図１４に示す）を受けるように、貫通穴２８ｄを設けることができる。Ｃ型クランプフレーム２８の雌型蟻溝３４ａ（図１４に示す）に係合するように雌型蟻溝２８ｅを設けることができ、Ｃ型クランプのＣ型クランプ本体３４がＣ型クランプフレーム２８の内外に摺動することができる。ラチェット保持器３６ａを受けるように、穴２８ｄの上側部分にねじを切ることができる。
【００３７】
図１４Ｂは、本発明の例示的な実施形態による、ジェットポンプインレットミキサのコンプライアントストッパ２０の（図１４に示す）Ｃ型クランプ本体３４の詳細な図である。キャップねじ３６（図１４に示す）を受けるように、タップ穴３４ｄを設けることができる。図１４Ｂは、図１４Ａの雌型蟻溝２８ｅと係合することができ、図１４に示すように、Ｃ型クランプ本体がＣ型クランプフレーム２８の内外に摺動することができるようにする、雌型蟻溝３４ａをより詳細に示す。
【００３８】
図１５は、本発明の例示的な実施形態による、ジェットポンプインレットミキサのコンプライアントストッパ２０の断面図である。この断面図は、（本体２２の前面にある）突起ボス２２ｆと（コールドスプリング２２ａの遠位端の内面にある）突起ボス２２ａ１との間の隙間Ｔを示す。コンプライアントストッパ３０を設置するとき、ジャッキングボルト３０を締結して脚部２４と本体２２との間の隙間Ｇを増加し、スイベル接触パッド３２がインレットミキサ２（図５Ａに示す）を押圧するとき、コールドスプリング２２ａに圧縮力を加えるようにすることができる。したがって、ジャッキングボルト３０が締結されるとき、（隙間Ｇは増加し、）隙間Ｔは減少する。（ジェットポンプアセンブリの通常動作温度より低い温度で）コンプライアントストッパ２０の初期設置中、隙間Ｔはほぼ０、または０に近い値とするべきである（例えば、隙間Ｔを０．１インチとすることができる）。隙間Ｔを０、または０に近い値とするとき、コールドスプリング２２ａの幅および厚さの選択は、インレットミキサで生じることがある流体励起振動（ＦＩＶ）に対抗する予荷重（すなわち、「ばね荷重」）を、コールドスプリング２２ａが提供するようにすることができる。例えば、コールドスプリング２２ａの予荷重は２，０００〜４，０００ポンドの範囲とすることができる。コールドスプリング２２ａの実際の予荷重は、プラントによって異なり得るＦＩＶ荷重に基づいて設定することができる。より幅の広い（相対ばね定数が高い）コールドスプリング２２ａを選択することによって、より大きい予荷重（および、動作中、より大きい横力）をコールドスプリング２２ａによって加えることができる。より幅の狭い（相対ばね定数が低い）コールドスプリングを選択することによって、より小さい予荷重（および、動作中、より小さい横力）をコールドスプリング２２ａによって加えることができる。したがって、所望の予荷重力を提供することができるコールドスプリング２２ａを選択することによって（および、初期動作中、隙間Ｔが０、または０に近い値と仮定して）、コンプライアントストッパ２０によってインレットミキサ２に正確な横力を最終的に加えることができる。
【００３９】
通常のプラント動作中（および、通常のプラント動作中に起きるジェットポンプアセンブリの加熱中）、コンプライアントストッパ２０が加熱されると、コンプライアントストッパ２０の熱膨張によって隙間Ｔがわずかに増加することができる（構成部品を構成する材料のより詳細な説明、およびこれらの部品の関連する熱膨張が、本明細書に含まれる）。小さい隙間Ｔ（３／１０００インチとすることができる）があることによって、大きなシステム振動中、コールドスプリング２２ａが穏やかな緩衝器として作用することができる。小さい隙間Ｔがあることによって、システム振動中、突起ボス２２ｆおよび２２ａ１が水平方向にわずかに移動することもできる。
【００４０】
ジャッキングボルト保持穴２４ｇ（図１１Ａにも示す）は、１つの保持穴２４ｇには球面バックストップ２４ｇ２を設けることができ、別の保持穴２４ｇには平坦なバックストップ２４ｇ３を設けることができるという点において、異なるものとすることができる。球面バックストップ２４ｇ２の形状はジャッキングボルト３０の遠位端の形状と一致し、ジャッキングボルト３０の遠位端は球面バックストップ２４ｇ２と嵌まり合うことができる。球面バックストップ２４ｇ２および平坦なバックストップ２４ｇ３の使用によって、トルクをジャッキングボルト３０に加えている間、拘束の可能性を軽減することができる。具体的には、球面パッド４８が、パッド４８のいずれの側にも小さい隙間Ｐを有して、平坦なバックストップ２４ｇ３に嵌まることができる（すなわち、パッド４８の直径は保持穴２４ｇの直径より小さい）。パッド４８の球面はまた、ジャッキングボルト３０の遠位端に一致することもでき、球面パッド４８がジャッキングボルト３０の遠位端と嵌まり合うことができる。不均一なトルクを各ジャッキングボルト３０に加えることができるとき、図１５の右側のジャッキングボルト３０の遠位端３０ｃは、ジャッキングボルト保持穴２４ｇ内でわずかに枢動することができ、球面パッド４８を保持穴２４ｇの平坦なバックストップ２４ｇ３に沿ってわずかに移動させる（パッド４８の移動は、パッド４８のいずれの側にも隙間Ｐがあることによって起きることができる）。この意味で、２つのジャッキングボルト３０の間の不均一なトルクによる拘束の可能性を避けることができる。球面バックストップ２４ｇ２および球面パッド４８は、設置および動作中、ボルト３０の曲がりを軽減し、または回避する助けとなることも理解されよう。
【００４１】
図１５はまた、脚部２４内のボルト保持器４２の位置も示す。ボルト保持器４２は、ジャッキングボルト３０の遠位端３０ｃが保持穴２４ｇの内部に留まることができるように、（ジャッキングボルト３０のラチェット歯３０ａに当接することによって）物理的ストッパとして作用する。上記のように、遠位端３０ｃは、保持穴２４ｇ内で自由に回転する。したがって、ジャッキングボルト３０が締結されるとき、各ジャッキングボルト３０のねじ山によって本体２２が脚部２４から離れるようにしながら、各ジャッキングボルト３０の遠位端３０ｃが保持穴２４ｇ内の定位置に留まる（それにより、隙間Ｇのサイズが増加し、図５Ａに示すように、スイベル接触パッド３２がインレットミキサ２に対して押圧されるとき、隙間Ｔのサイズが最終的に減少する）。
【００４２】
ジェットポンプインレットミキサのコンプライアントストッパ２０の構成部品を構成する材料（コールドスプリング２２ａを除く）およびノンコンプライアントストッパ３８は、３００シリーズステンレス鋼またはＸＭ−１９ステンレス鋼とすることができる。より具体的には、ジェットポンプインレットミキサのコンプライアントストッパ２０のすべての構成部品（コールドスプリング２２ａを除く）およびノンコンプライアントストッパ３８は、主ウェッジ８および拘束具ブラケット１０など、既存の拘束具ブラケットアセンブリ構成部品を構成する材料と一致することができる（多くの場合、３００シリーズステンレス鋼またはＸＭ−１９である）。これは、ジェットポンプインレットミキサのコンプライアントストッパ２０およびノンコンプライアントストッパ３８の熱膨張の可能性が、既存の拘束具ブラケットアセンブリ構成部品の熱膨張と、ある程度一致することを保証する。しかし、コールドスプリング２２ａの構成部品を構成する材料は、好ましくはＸ−７５０合金、または、３００シリーズステンレス鋼またはＸＭ−１９のいずれかよりも膨張の少ない、別の適切な高降伏強度および高温のばね材料である。コールドスプリング２２ａのより少ない熱膨張によって、予荷重制限ボス２２ａ１／２２ｆ間に小さい隙間Ｔが生じる（図１５参照）。小さい隙間Ｔによって、コールドスプリング２２ａは、動作中、上記のように機能する（動く）ことができる。
【００４３】
以上、例示的な実施形態を説明したが、多くの方法で変形が可能であることが明らかであろう。そのような変形例は、例示的な実施形態の目的とする趣旨および範囲から逸脱するとみなされるものではなく、そのような修正はすべて、当業者には明らかなように、添付の特許請求の範囲の範囲内に含まれるものである。
【符号の説明】
【００４４】
１  ライザー管
２  インレットミキサ
４  ディフューザ
６  拘束具ブラケットアセンブリ
８  主ウェッジ
１０  拘束具ブラケット
１０ａ  拘束具ブラケット輪郭壁
１２  ガイド耳部
１４  止めねじ
１６  ポケット
１８  ベリーバンド
２０  ジェットポンプインレットミキサコンプライアントストッパ
２２  本体
２２ａ  コールドスプリング部分
２２ａ１  コールドスプリングの遠位端の突起ボス
２２ｂ  傾斜面
２２ｃ  凹球面座
２２ｄ  隣接溝
２２ｅ  ねじ連結部
２２ｆ  本体の突起ボス
２４  脚部
２４ａ  脚部の内面
２４ｂ  タップ穴
２４ｃ  ラチェット歯スロット
２４ｄ  検査ポート
２４ｅ  （ボルト保持器用の）ポケット
２４ｆ  タップ穴
２４ｇ  ジャッキングボルト保持穴
２４ｇ１  拡大部
２４ｇ２  球面バックストップ
２４ｇ３  平坦なバックストップ
２４ｈ  傾斜面
２６  ラチェット保持器
２８  Ｃ型クランプフレーム
２８ａ  傾斜面
２８ｂ  空洞部
２８ｃ  張り出し部
２８ｄ  貫通穴
２８ｅ  蟻溝の雌型部分
３０  ジャッキングボルト
３０ａ  ラチェット歯
３０ｂ  外側六角部
３０ｃ  ジャッキングボルトの遠位端
３２  スイベル接触パッド
３２ａ  凸球面
３２ｂ  自己整合リブ
３２ｃ  肩つきねじ穴
３２ｃ１  肩つきねじポケット
３２ｄ  凹円筒面
３４  Ｃ型クランプ本体
３４ａ  蟻溝の雄型部分
３４ｂ  Ｃ型クランプ本体のアーチ形部分
３４ｃ  上向き突起部分
３４ｄ  タップ穴
３６  ソケットヘッドキャップねじ
３６ａ  コイルばねラチェット保持器
３６ｂ  ラチェット歯
３８  コンプライアント硬性ストッパ
４０  平頭ねじ
４０ａ  保持ピン
４０ｂ  タップ穴
４２  ボルト保持器
４２ａ  タップ穴
４２ｂ  ボルト保持器のアーチ形部分
４４  平頭ねじ
４４ａ  保持ピン
４６  ラチェット歯
４８  球面パッド
５０  肩つきねじ
【図１】
0005685559.tif 000002
【図２】
0005685559.tif 000003
【図３】
0005685559.tif 000004
【図４】
0005685559.tif 000005
【図４Ａ】
0005685559.tif 000006
【図５】
0005685559.tif 000007
【図５Ａ】
0005685559.tif 000008
【図６】
0005685559.tif 000009
【図６Ａ】
0005685559.tif 000010
【図７】
0005685559.tif 000011
【図８】
0005685559.tif 000012
【図９】
0005685559.tif 000013
【図１０】
0005685559.tif 000014
【図１１】
0005685559.tif 000015
【図１１Ａ】
0005685559.tif 000016
【図１２】
0005685559.tif 000017
【図１３】
0005685559.tif 000018
【図１４】
0005685559.tif 000019
【図１４Ａ】
0005685559.tif 000020
【図１４Ｂ】
0005685559.tif 000021
【図１５】
0005685559.tif 000022